(57)【要約】【課題】突出部における相手側コネクタとの接続信頼性を向上可能なコネクタを提供すること。【解決手段】コネクタ１０の付加部材４０は、回路基板８０に固定される被固定部５２と、被固定部５２から上方に向かって延びる基部５０と、基部５０から横方向の内側に向かって延びるアーマー部５４と、基部５０から延びるバネ部５６と、バネ部５６に支持される突出部５８とを有している。基部５０は、相手側コネクタ７０を受容する受容部２２の横方向外側に位置している。付加部材４０を上方から見た場合に、バネ部５６は、アーマー部５４によって少なくとも部分的に覆われており、突出部５８の一部は、受容部２２の内部に視認可能に位置している。バネ部５６が基部５０から延びる起点部５６２は、アーマー部５４のうち横方向における最も内側に位置する最内側部５４２に比べて、被固定部５２に近い。【選択図】図１１
2018078072.tif 000002
【特許請求の範囲】
【請求項１】
上下方向において対象物の上に搭載可能であり、且つ、相手側コネクタと前記上下方向に沿って嵌合可能なコネクタであって、
前記コネクタは、ハウジングと、複数の端子と、付加部材とを備えており、
前記端子及び前記付加部材は、前記ハウジングに保持されており、
前記ハウジングは、受容部を有しており、
前記受容部は、前記コネクタが前記相手側コネクタと嵌合した嵌合状態において前記相手側コネクタを部分的に受容する部位であり、
前記付加部材は、被固定部と、基部と、アーマー部と、バネ部と、突出部とを有しており、
前記被固定部は、前記コネクタの使用時に前記対象物に固定される部位であり、
前記基部は、前記被固定部から上方に向かって延びており、且つ、前記上下方向と直交する横方向において前記受容部の外側に位置しており、
前記アーマー部は、前記基部から前記横方向の内側に向かって延びており、
前記バネ部は、前記基部から延びており、
前記突出部は、前記バネ部に支持されており、且つ、前記横方向の内側に向かって突出しており、
前記付加部材を前記上下方向に沿って上方から見た場合に、前記バネ部は、前記アーマー部によって少なくとも部分的に覆われており、前記突出部の少なくとも一部は、前記受容部の内部に視認可能に位置しており、
前記バネ部が前記基部から延びる起点部は、前記アーマー部のうち前記横方向における最も内側に位置する部位に比べて、前記被固定部に近い
コネクタ。
【請求項２】
請求項１記載のコネクタであって、
前記バネ部は、前記上下方向と直交する面内においてＵ字形状又はＪ字形状を有している
コネクタ。
【請求項３】
請求項１又は請求項２記載のコネクタであって、
前記基部は、平板形状の平板部を有しており、
前記バネ部は、前記平板部から延びている
コネクタ。
【請求項４】
請求項１から請求項３までのいずれかに記載のコネクタであって、
前記突出部は、前記嵌合状態において、前記相手側コネクタに対して押圧されて前記相手側コネクタと接触する
コネクタ。
【請求項５】
請求項１から請求項４までのいずれかに記載のコネクタであって、
前記上下方向及び前記横方向の双方と直交する前後方向における前記アーマー部の位置は、前記前後方向における前記被固定部の位置と重なっている
コネクタ。
【請求項６】
請求項１から請求項５までのいずれかに記載のコネクタであって、
前記付加部材は、前記被固定部、前記基部、前記アーマー部、前記バネ部および前記突出部からなる主部を２つ有しており、
２つの前記主部は、前記横方向において前記受容部を挟んで位置している
コネクタ。
【請求項７】
請求項６記載のコネクタであって、
前記付加部材は、連結部を有しており、
前記連結部は、２つの前記主部の前記基部又は前記アーマー部を互いに連結している
コネクタ。
【発明の詳細な説明】
【技術分野】
【０００１】
本発明は、バネ部によって支持された突出部において相手側コネクタと接続するコネクタに関する。
【背景技術】
【０００２】
特許文献１には、このタイプのコネクタが開示されている。
【０００３】
図１６を参照すると、特許文献１に開示されたコネクタ（図示せず）は、ハウジング（図示せず）に取り付けられた電源端子（付加部材）９０を備えている。付加部材９０は、規制部（アーマー部）９１０と、弾性腕部（バネ部）９２０と、接触部（突出部）９３０とを有している。バネ部９２０は、アーマー部９１０から延びており、突出部９３０は、バネ部９２０によって移動可能に支持されている。コネクタは、電源端子９８を備えた相手側コネクタ（図示せず）と上下方向（Ｚ方向）に沿って嵌合可能である。電源端子９８は、被取付部９８２を有している。コネクタと相手側コネクタとが嵌合すると、電源端子９８は、付加部材９０の内側に受容され、被取付部９８２は、突出部９３０と接触する。即ち、コネクタは、バネ部９２０によって支持された突出部９３０において相手側コネクタと接続する。
【先行技術文献】
【特許文献】
【０００４】
【特許文献１】特開２０１５−１２２１８９号公報
【発明の概要】
【発明が解決しようとする課題】
【０００５】
特許文献１の発明においては、コネクタと相手側コネクタとが嵌合する際に、相手側コネクタがアーマー部９１０と突き当たり、アーマー部９１０が押圧されて変形する場合がある。この場合、バネ部９２０及び突出部９３０が移動し、電源端子９８と突出部９３０とが設計した通りに接触しないおそれがある。即ち、コネクタと相手側コネクタとの接続信頼性が低下するおそれがある。
【０００６】
そこで、本発明は、突出部における相手側コネクタとの接続信頼性を向上可能なコネクタを提供することを目的とする。
【課題を解決するための手段】
【０００７】
本発明は、第１のコネクタとして、
上下方向において対象物の上に搭載可能であり、且つ、相手側コネクタと前記上下方向に沿って嵌合可能なコネクタであって、
前記コネクタは、ハウジングと、複数の端子と、付加部材とを備えており、
前記端子及び前記付加部材は、前記ハウジングに保持されており、
前記ハウジングは、受容部を有しており、
前記受容部は、前記コネクタが前記相手側コネクタと嵌合した嵌合状態において前記相手側コネクタを部分的に受容する部位であり、
前記付加部材は、被固定部と、基部と、アーマー部と、バネ部と、突出部とを有しており、
前記被固定部は、前記コネクタの使用時に前記対象物に固定される部位であり、
前記基部は、前記被固定部から上方に向かって延びており、且つ、前記上下方向と直交する横方向において前記受容部の外側に位置しており、
前記アーマー部は、前記基部から前記横方向の内側に向かって延びており、
前記バネ部は、前記基部から延びており、
前記突出部は、前記バネ部に支持されており、且つ、前記横方向の内側に向かって突出しており、
前記付加部材を前記上下方向に沿って上方から見た場合に、前記バネ部は、前記アーマー部によって少なくとも部分的に覆われており、前記突出部の少なくとも一部は、前記受容部の内部に視認可能に位置しており、
前記バネ部が前記基部から延びる起点部は、前記アーマー部のうち前記横方向における最も内側に位置する部位に比べて、前記被固定部に近い
コネクタを提供する。
【０００８】
また、本発明は、第２のコネクタとして、第１のコネクタであって、
前記バネ部は、前記上下方向と直交する面内においてＵ字形状又はＪ字形状を有している
コネクタを提供する。
【０００９】
また、本発明は、第３のコネクタとして、第１又は第２のコネクタであって、
前記基部は、平板形状の平板部を有しており、
前記バネ部は、前記平板部から延びている
コネクタを提供する。
【００１０】
また、本発明は、第４のコネクタとして、第１から第３までのいずれかのコネクタであって、
前記突出部は、前記嵌合状態において、前記相手側コネクタに対して押圧されて前記相手側コネクタと接触する
コネクタを提供する。
【００１１】
また、本発明は、第５のコネクタとして、第１から第４までのいずれかのコネクタであって、
前記上下方向及び前記横方向の双方と直交する前後方向における前記アーマー部の位置は、前記前後方向における前記被固定部の位置と重なっている
コネクタを提供する。
【００１２】
また、本発明は、第６のコネクタとして、第１から第５までのいずれかのコネクタであって、
前記付加部材は、前記被固定部、前記基部、前記アーマー部、前記バネ部および前記突出部からなる主部を２つ有しており、
２つの前記主部は、前記横方向において前記受容部を挟んで位置している
コネクタを提供する。
【００１３】
また、本発明は、第７のコネクタとして、第６のコネクタであって、
前記付加部材は、連結部を有しており、
前記連結部は、２つの前記主部の前記基部又は前記アーマー部を互いに連結している
コネクタを提供する。
【発明の効果】
【００１４】
本発明によれば、突出部は、バネ部に支持されており、且つ、突出部の少なくとも一部は、付加部材を上下方向に沿って上方から見た場合に、相手側コネクタを部分的に受容する受容部の内部に視認可能に位置している。このように形成された突出部は、例えば、相手側コネクタと接触して電気的に接続する接触部や、相手側コネクタと係合する係合部として使用できる。即ち、本発明によるコネクタは、バネ部に支持された突出部において相手側コネクタと接続する。
【００１５】
本発明によれば、バネ部が基部から延びる起点部は、バネ部を少なくとも部分的に覆うアーマー部のうち横方向における最も内側に位置する部位（最内側部）に比べて、対象物に固定される被固定部に近い。この配置により、アーマー部が相手側コネクタに押圧されて変形した場合にも、被固定部の近くに位置する起点部は、殆ど移動しない。従って、起点部から延びるバネ部及びバネ部に支持された突出部も殆ど移動しない。即ち、本発明のコネクタによれば、突出部における相手側コネクタとの接続信頼性を向上できる。
【図面の簡単な説明】
【００１６】
【図１】本発明の実施の形態によるコネクタを示す側面図である。相手側コネクタの輪郭を破線で描画している。コネクタを搭載する回路基板の輪郭を２点鎖線で描画している。
【図２】図１のコネクタを示す正面図である。相手側コネクタの輪郭を破線で描画している。回路基板の輪郭を２点鎖線で描画している。
【図３】図１のコネクタを示す上面図である。相手側コネクタの輪郭を破線で描画している。
【図４】図１のコネクタを示す底面図である。
【図５】図１のコネクタをＶ−Ｖ線に沿って示す断面図である。
【図６】図５のコネクタの付加部材の主部近傍（破線Ａで囲んだ部分）を拡大して示す断面図である。
【図７】図１のコネクタの付加部材を示す斜視図である。バネ部の起点部の位置を破線で描画している。
【図８】図６の付加部材を示す上面図である。
【図９】図６の付加部材を示す底面図である。バネ部の起点部の位置を破線で描画している。
【図１０】図６の付加部材を示す側面図である。バネ部の起点部の位置を破線で描画している。
【図１１】図６の付加部材を示す背面図である。相手側コネクタの相手側接触部の輪郭を破線で描画している。回路基板の輪郭を２点鎖線で描画している。
【図１２】図１１の付加部材をＸＩＩ−ＸＩＩ線に沿って示す断面図である。
【図１３】図１１の付加部材の主部における各部位の位置関係を示す背面図である。基部及びアーマー部が延びる経路を破線で描画している。バネ部の起点部の輪郭を１点鎖線で描画している。
【図１４】図１３の主部を上方から見たときの、主部の各部位の位置関係を示す図である。各部位の輪郭は、他の部位の下に隠れた輪郭も含めて実線で描画している。
【図１５】図１３の位置関係の変形例を示す背面図である。
【図１６】特許文献１の電源端子を示す斜視図である。
【発明を実施するための形態】
【００１７】
図１及び図２を参照すると、本発明の実施の形態によるコネクタ１０は、上下方向（Ｚ方向）において対象物（回路基板）８０の上に搭載可能である。即ち、コネクタ１０は、使用時に対象回路基板８０に搭載される基板コネクタである。また、コネクタ１０は、相手側コネクタ７０とＺ方向（嵌合方向）に沿って嵌合可能である。コネクタ１０は、相手側コネクタ７０と嵌合した嵌合状態において、相手側コネクタ７０と電気的に接続され、これにより相手側コネクタ７０は、回路基板８０と電気的に接続される。
【００１８】
図３を参照すると、本実施の形態によるコネクタ１０は、レセプタクルであり、嵌合状態において、プラグである相手側コネクタ７０を部分的に受容する。但し、本発明は、これに限られず、プラグにも適用可能である。換言すれば、コネクタ１０は、プラグであってもよい。
【００１９】
図１から図４までを参照すると、コネクタ１０は、樹脂等の絶縁体からなるハウジング２０と、金属等の導電体からなる複数の端子３０と、金属等の曲げ加工可能な材料からなる２つの付加部材４０とを備えている。
【００２０】
図３から図５までに示されるように、ハウジング２０は、外壁２４と、底壁２６と、突出部２８とを有している。外壁２４は、ＸＹ平面において矩形フレーム形状を有している。詳しくは、外壁２４は、２つの側壁２４２と、２つの連結壁２４４とを有している。側壁２４２の夫々は、前後方向（Ｘ方向）に沿って延びている。連結壁２４４の夫々は、横方向（Ｙ方向）に沿って延びており、２つの側壁２４２のＸ方向における端をＹ方向に連結している。底壁２６は、ハウジング２０の下端（−Ｚ側の端）に位置している。突出部２８は、ＸＹ平面におけるハウジング２０の中間部に位置しており、底壁２６から上方（＋Ｚ方向）に突出している。
【００２１】
図５を参照すると、側壁２４２の夫々は、端子３０を保持するための保持部２４８を有している。保持部２４８は、Ｘ方向における側壁２４２の中間部に形成されている。
【００２２】
図３に示されるように、ハウジング２０は、受容部２２を有している。受容部２２は、外壁２４と突出部２８との間に形成された空間である。受容部２２は、嵌合状態において相手側コネクタ７０を部分的に受容する。
【００２３】
図１を参照すると、上述のように形成されたハウジング２０は、上面２０Ｕと、下面２０Ｌとを有している。上面２０Ｕは、コネクタ１０の上端（＋Ｚ側の端）に位置しており、下面２０Ｌは、コネクタ１０の下端に位置している。本実施の形態において、上面２０Ｕは、外壁２４の上面であり、下面２０Ｌは、外壁２４の下面である。
【００２４】
図３から図５までを参照すると、本実施の形態における端子３０の数は６である。端子３０の夫々は、信号端子であり、接触部３２と、被保持部３４と、被固定部３８とを有している。端子３０の夫々は、ハウジング２０に保持されている。詳しくは、図５を参照すると、３つの端子３０の被保持部３４は、＋Ｙ側の側壁２４２の保持部２４８によって保持されており、他の３つの端子３０の被保持部３４は、−Ｙ側の側壁２４２の保持部２４８によって保持されている。
【００２５】
図３及び図５を参照すると、端子３０の夫々において、接触部３２は、被保持部３４から突出部２８の内部まで延びた後、上方に延びつつ受容部２２の内部に部分的に突出している。接触部３２の夫々は、嵌合状態において相手側コネクタ７０の対応する相手側信号端子（図示せず）と接触し、これにより、コネクタ１０と相手側コネクタ７０とは、電気的に接続される。
【００２６】
図４を参照すると、端子３０の夫々において、被固定部３８は、被保持部３４（図５参照）からＹ方向外側に延びている。図１を参照すると、被固定部３８の夫々は、コネクタ１０の使用時に、半田付け等によって回路基板８０に固定され電気的に接続される。
【００２７】
図３を参照すると、端子３０の構造や配置は、本実施の形態に限られず、様々に変形可能である。例えば、端子３０の数は、６に限られない。端子３０を保持する部位は、外壁２４の保持部２４８に限られない。端子３０の夫々は、信号端子でなくてもよい。また、ハウジング２０は、受容部２２を有している限り、どのような構造を有していてもよい。
【００２８】
図７を参照すると、本実施の形態において、付加部材４０の夫々は、折り曲げられた１枚の金属板である。図１から図５までを参照すると、２つの付加部材４０は、互いに同じ形状及びサイズを有している。２つの付加部材４０は、ハウジング２０に保持されている。詳しくは、２つの付加部材４０は、Ｘ方向において互いに離れて位置しており、ＹＺ平面について互いに鏡対称となるように配置されている。但し、本発明は、これに限られない。例えば、付加部材４０の数は、１であってもよい。また、付加部材４０は互いに多少異なる形状を有していてもよいし、付加部材４０の夫々は、複数の部材を接合して形成されていてもよい。但し、複数の付加部材４０を備える場合、製造コストを削減するという観点から、付加部材４０は、互いに同じ形状及びサイズを有していることが好ましく、且つ、１枚の金属板を折り曲げて形成することが好ましい。
【００２９】
以下、２つの付加部材４０のうちの前側（＋Ｘ側）の付加部材４０を中心に、構造、コネクタ１０における配置及び機能を詳しく説明する。上述したように２つの付加部材４０は同一部品である。従って、以下の前側の付加部材４０についての説明は、Ｘ方向における向きが反対であることを除き、後側（−Ｘ側）の付加部材４０についてもそのまま当てはまる。
【００３０】
図７から図１２までを参照すると、付加部材４０は、ＸＺ平面について鏡対称な形状を有している。詳しくは、付加部材４０は、２つの主部４２と、連結部４４と、２つの挟持部４６，４８とを有している。２つの主部４２は、Ｙ方向において互いに離れて位置しており、ＸＺ平面について互いに鏡対称な形状を有している。連結部４４は、全体としてＹ方向に沿って延びている。Ｙ方向における連結部４４の両端部は、後方（−Ｘ方向）に延びており、２つの主部４２に夫々繋がっている。
【００３１】
挟持部４６，４８の夫々は、Ｙ方向における連結部４４の中間部に位置している。挟持部４６は、連結部４４から湾曲しつつ後方及び下方（−Ｚ方向）に延びた後、下方に延びている。挟持部４８は、連結部４４から湾曲しつつ前方及び下方に延びた後、下方に延びている。
【００３２】
図５を参照すると、付加部材４０は、ハウジング２０にインサート成型されている。この結果、付加部材４０の連結部４４は、外壁２４の連結壁２４４の上端部に埋め込まれており、付加部材４０の２つの挟持部４６，４８は、連結壁２４４をＸ方向に挟むようにして連結壁２４４に埋め込まれている。２つの主部４２は、部分的に２つの側壁２４２に夫々埋め込まれている。これにより、２つの主部４２は、Ｙ方向において受容部２２を挟んで位置している。
【００３３】
上述のように、本実施の形態の付加部材４０は、インサート成型によってハウジング２０に取り付けられている。但し、本発明は、これに限られない。例えば、付加部材４０は、ハウジング２０に圧入されていてもよい。この場合、付加部材４０は、上方から側壁２４２及び連結壁２４４に取り付けられていてもよい。また、付加部材４０は、主部４２を一つのみ有していてもよい。この場合、コネクタ１０は、主部４２のみからなる付加部材４０を、必要な数だけ備えていればよい。
【００３４】
図７から図１２までに示されるように、主部４２の夫々は、基部５０と、被固定部５２と、アーマー部５４と、バネ部５６と、突出部５８とを有している。即ち、付加部材４０は、２つの基部５０と、２つの被固定部５２と、２つのアーマー部５４と、２つのバネ部５６と、２つの突出部５８とを有している。
【００３５】
図７から図９までに示されるように、２つの主部４２は、連結部４４によって互いに連結されている。本実施の形態の連結部４４は、２つの主部４２の基部５０を互いに連結している。但し、本発明はこれに限られず、連結部４４は、２つの主部４２のアーマー部５４を互いに連結していてもよい。
【００３６】
図７、図１０及び図１１を参照すると、本実施の形態の被固定部５２は、主部４２の下面であり、Ｘ方向に沿って延びている。図１を参照すると、被固定部５２は、Ｚ方向において、ハウジング２０の下面２０Ｌ（即ち、コネクタ１０の下端）と同じ位置にある。被固定部５２は、コネクタ１０の使用時に、半田付け等によって回路基板８０に固定され電気的に接続される。
【００３７】
図７、図１０及び図１１を参照すると、基部５０は、被固定部５２から全体として上方に向かって延びている。即ち、本実施の形態において、基部５０と被固定部５２との間の境界部５０２は、被固定部５２そのものである。本実施の形態による基部５０は、平板部５０４と、湾曲部５０６と、上板部５０８とを有している。平板部５０４は、ＸＺ平面と平行な平板形状を有しており、被固定部５２から上方に真直ぐ延びている。平板部５０４の上部（＋Ｚ側の部位）は、後方に張り出している。湾曲部５０６は、平板部５０４の上端から、湾曲しつつ上方及びＹ方向内側に延びている。上板部５０８は、ＸＹ平面と平行な平板形状を有しており、湾曲部５０６からＹ方向内側に延びている。
【００３８】
図７、図８及び図１１を参照すると、アーマー部５４は、基部５０の上板部５０８のＹ方向内側の端から、Ｙ方向の内側に向かって延びている。詳しくは、図１１に示されるように、アーマー部５４は、湾曲しつつ下方及びＹ方向内側に延びている。即ち、アーマー部５４は、受容部２２に向かって延びている。このように延びるアーマー部５４は、最内側部５４２を有している。最内側部５４２は、アーマー部５４のうちＹ方向における最も内側に位置する部位である。
【００３９】
本実施の形態において、アーマー部５４の最内側部５４２は、アーマー部５４の先端である。但し、本発明は、これに限られない。例えば、アーマー部５４の先端部分は、基部５０の平板部５０４に向かって折り曲げられていてもよい。この場合、アーマー部５４の最内側部５４２は、アーマー部５４の先端よりもＹ方向内側に位置する。
【００４０】
図７から図１０までを参照すると、バネ部５６は、基部５０から延びており、基部５０によって弾性変形可能に支持されている。換言すれば、バネ部５６は、バネ部５６と基部５０との間の境界部（起点部）５６２を支点として弾性変形可能である。
【００４１】
本実施の形態によるバネ部５６は、起点部５６２に加えて、第１バネ部５６４と、第２バネ部５６６と、第３バネ部５６８とを有している。第１バネ部５６４は、起点部５６２からＸ方向に沿って後方に延びている。第２バネ部５６６は、第１バネ部５６４の後端（−Ｘ側の端）から、湾曲しつつ後方及びＹ方向内側に延び、次にＹ方向内側に延びた後、湾曲しつつ前方及びＹ方向内側に延びている。第３バネ部５６８は、第２バネ部５６６のうちのＹ方向内側の部位の前端（＋Ｘ側の端）から、アーマー部５４の下方を通り、Ｘ方向に沿って前方に延びている。
【００４２】
本実施の形態によるバネ部５６は、上述の構造を有しているため、ＸＹ平面内においてＪ字形状を有しており、高いバネ性を有している。特に、第３バネ部５６８は、Ｘ方向に沿って長く延びており、第３バネ部５６８のバネ性は高い。但し、本発明は、これに限られず、バネ部５６の構造は様々に変形可能である。例えば、Ｘ方向における起点部５６２の位置を前方にずらして、第１バネ部５６４の長さを、第３バネ部５６８の長さと略同一にしてもよい。この場合、バネ部５６は、ＸＹ平面内においてＵ字形状を有する。
【００４３】
図７、図９及び図１１を参照すると、突出部５８は、バネ部５６に支持されている。詳しくは、突出部５８は、バネ部５６の第３バネ部５６８の前端近傍に形成されており、Ｙ方向の内側に向かって突出している。
【００４４】
図８を参照すると、付加部材４０をＺ方向に沿って上方から見た場合に、バネ部５６の第３バネ部５６８は、アーマー部５４によって部分的に覆われている。特に、本実施の形態による第３バネ部５６８のうちＸ方向においてアーマー部５４と同じ位置にある部位は、アーマー部５４によって完全に覆われている。但し、本発明は、これに限られず、バネ部５６は、アーマー部５４によって少なくとも部分的に覆われていればよい。例えば、アーマー部５４を後方に延ばして、バネ部５６のうち第３バネ部５６８全体を覆ってもよい。また、バネ部５６を、基部５０のＸ方向における中間部分からＹ方向内側に延ばして、バネ部５６全体をアーマー部５４によって覆ってもよい。
【００４５】
図６を参照すると、基部５０は、上板部５０８の一部及び下端近傍の部位を除いてハウジング２０の側壁２４２に埋め込まれており、これによりハウジング２０に固定されている。加えて、バネ部５６の第１バネ部５６４及び第２バネ部５６６は、側壁２４２に埋め込まれており、これによりハウジング２０に固定されている。一方、バネ部５６の第３バネ部５６８は、側壁２４２に形成された空間内に位置しており、ハウジング２０に対して相対的に移動可能である。即ち、第３バネ部５６８に支持された突出部５８は、Ｙ方向に移動可能である。
【００４６】
上述したように、本実施の形態の第１バネ部５６４及び第２バネ部５６６は、ハウジング２０に埋め込まれており、ハウジング２０に対して相対的に移動できない。但し、本発明は、これに限られず、第１バネ部５６４及び第２バネ部５６６の一方又は両方は、ハウジング２０に埋め込まれておらず、ハウジング２０に対して相対的に移動可能であってもよい。
【００４７】
図３及び図５を参照すると、基部５０は、Ｙ方向において受容部２２の外側に位置している。また、付加部材４０をＺ方向に沿って上方から見た場合に、コネクタ１０が相手側コネクタ７０と嵌合していない未嵌合状態において、突出部５８は、受容部２２の内部に視認可能に位置している。このように配置された突出部５８は、嵌合状態において、相手側コネクタ７０に対して押圧されて相手側コネクタ７０と接触する。
【００４８】
図１１を参照すると、本実施の形態の突出部５８は、嵌合状態において、相手側コネクタ７０の相手側接触部７２と接触する。相手側接触部７２は、例えば、相手側電源端子である。この場合、突出部５８は、コネクタ１０の電源端子の接触部であり、嵌合状態において、相手側接触部７２と電気的に接続される。但し、本発明は、これに限定されない。例えば、相手側コネクタ７０は、相手側接触部７２に代えて、相手側係合部（図示せず）を有していてもよい。この場合、突出部５８は、コネクタ１０の係合部であり、嵌合状態において、相手側係合部と係合して嵌合状態をロックする。上述のように、コネクタ１０は、バネ部５６によって支持された突出部５８において相手側コネクタ７０と接続する。
【００４９】
本実施の形態によれば、突出部５８全体が受容部２２の内部に視認可能に位置している。但し、本発明は、これに限定されず、突出部５８の少なくとも一部が受容部２２の内部に視認可能に位置していればよい。
【００５０】
図３を参照すると、本実施の形態によれば、付加部材４０の主部４２の夫々に対して、下方に湾曲したアーマー部５４が設けられている。前述したように、アーマー部５４は、ハウジング２０に対して相対的に移動可能な第３バネ部５６８（図７参照）を上方から覆っている。このため、コネクタ１０と相手側コネクタ７０との嵌合過程において、相手側コネクタ７０は、突出部５８との接触前に第３バネ部５６８を変形させることなく、アーマー部５４によって下方に向かってスムーズにガイドされる。
【００５１】
図６を参照すると、付加部材４０の主部４２の夫々において、アーマー部５４及び第３バネ部５６８を除く部位は、ハウジング２０に対して固定されており、アーマー部５４及び第３バネ部５６８のみが、ハウジング２０に対して相対的に移動可能である。加えて、アーマー部５４と第３バネ部５６８とは、直接的に接続されていない。従って、コネクタ１０と相手側コネクタ７０との嵌合過程において、相手側コネクタ７０がアーマー部５４に突き当たって、アーマー部５４を弾性変形させる程度の比較的小さな押圧力をアーマー部５４に加えたとしても、第３バネ部５６８は、この押圧力の影響を受けない。即ち、第３バネ部５６８に支持された突出部５８は、押圧力によっては移動せず、相手側接触部７２（図１１参照）と設計通りに接触する。
【００５２】
図３を図１１と併せて参照すると、付加部材４０のアーマー部５４に加えられた相手側コネクタ７０の押圧力は、基部５０及び被固定部５２を経由して回路基板８０によって受け止められる。従って、押圧力がアーマー部５４を塑性変形させるほど大きい場合でも、付加部材４０のうち被固定部５２に近い部位は、押圧力の影響を殆ど受けない。
【００５３】
図１３を参照すると、バネ部５６は、上述した押圧力の影響を殆ど受けない部位から延びている。より具体的には、バネ部５６が基部５０から延びる起点部５６２は、アーマー部５４の最内側部５４２に比べて、被固定部５２に近い。この配置により、アーマー部５４が相手側コネクタ７０に押圧されて変形（弾性変形又は塑性変形）した場合にも、被固定部５２の近くに位置する起点部５６２は、殆ど移動しない。従って、起点部５６２から延びるバネ部５６及びバネ部５６に支持された突出部５８も殆ど移動しない。即ち、本実施の形態のコネクタ１０（図３参照）によれば、突出部５８における相手側コネクタ７０（図３参照）との接続信頼性を向上できる。
【００５４】
特に、本実施の形態の付加部材４０において、バネ部５６の起点部５６２のＹ方向における位置は、被固定部５２のＹ方向における位置と同じである。即ち、起点部５６２と被固定部５２との間のＹ方向における距離Ｄ０（図１５参照）はゼロである。一方、Ｙ方向において、アーマー部５４の最内側部５４２は、起点部５６２から距離Ｄ１だけ離れている。即ち、Ｙ方向において、起点部５６２と被固定部５２との間の距離Ｄ０（図１５参照）は、起点部５６２と最内側部５４２との間の距離Ｄ１に比べて小さい。換言すれば、Ｙ方向において、起点部５６２は、最内側部５４２に比べて、被固定部５２に近い。本実施の形態によれば、この配置によって、バネ部５６に対する上述した押圧力の影響を軽減できる。
【００５５】
また、本実施の形態によれば、起点部５６２、最内側部５４２及び被固定部５２をＸ方向に沿って見た場合、被固定部５２と最内側部５４２との間を起点部５６２を経由して延びる仮想的な経路Ｐ１が定義できる。経路Ｐ１上において、起点部５６２と被固定部５２との間の経路長（沿面距離）は、起点部５６２と最内側部５４２との間の経路長（沿面距離）に比べて短い。換言すれば、起点部５６２、最内側部５４２及び被固定部５２をＸ方向に沿って見た場合、基部５０及びアーマー部５４が延びる方向（即ち、経路Ｐ１に沿った方向）において、起点部５６２は、最内側部５４２に比べて、被固定部５２に近い。本実施の形態によれば、この配置によっても、バネ部５６に対する上述した押圧力の影響を軽減できる。
【００５６】
図１１を参照すると、本実施の形態の付加部材４０において、基部５０の平板部５０４は、被固定部５２の真上に位置しているため、下方に向かう上述した押圧力に確実に対抗できる。バネ部５６は、平板部５０４から延びているため、上述した押圧力の影響を殆ど受けない。即ち、本実施の形態によれば、突出部５８におけるコネクタ１０と相手側コネクタ７０との接続信頼性を更に確実に向上できる。但し、バネ部５６は、基部５０から延びている限り、平板部５０４以外の部位から延びていてもよい。例えば、バネ部５６は、湾曲部５０６から延びていてもよい。
【００５７】
図１４を参照すると、本実施の形態の付加部材４０において、Ｘ方向におけるアーマー部５４の位置は、Ｘ方向における被固定部５２の位置と重なっている。この配置により、上述した押圧力を、より確実に被固定部５２に分散できる。これにより、突出部５８（図１３参照）におけるコネクタ１０と相手側コネクタ７０との接続信頼性を更に確実に向上できる。上述した押圧力を、確実に被固定部５２に分散するという観点から、Ｘ方向におけるアーマー部５４の位置は、Ｘ方向における被固定部５２の位置に含まれていることが更に好ましい。
【００５８】
本実施の形態は、既に説明した変形例に加えて、以下に説明するように更に様々に変形可能である。
【００５９】
図６を参照すると、本実施の形態の付加部材４０において、バネ部５６の第３バネ部５６８と、基部５０の平板部５０４及び第１バネ部５６４からなるＹ方向外側の部位（外側部位）とは、ハウジング２０の側壁２４２の一部（所定部位）を間に挟んで、Ｙ方向の反対側に位置している。但し、この所定部位（側壁２４２の一部）は、設けなくてもよい。即ち、第３バネ部５６８は、Ｙ方向において外側部位と対向していてもよい。更に、主部４２は、ハウジング２０に埋め込まれていなくてもよい。
【００６０】
図７を参照すると、付加部材４０において、バネ部５６の第１バネ部５６４及び第２バネ部５６６を下方に延ばし、第１バネ部５６４及び第２バネ部５６６の下端を、被固定部５２と同じ位置に位置させてもよい。更に、このように延ばした第１バネ部５６４及び第２バネ部５６６の下端を、回路基板８０（図１参照）に半田付け等によって固定してもよい。この構造によれば、コネクタ１０の使用時において第１バネ部５６４及び第２バネ部５６６はバネ性を失う一方、バネ部５６（第３バネ部５６８）の下方への移動を更に確実に防止できる。即ち、突出部５８におけるコネクタ１０と相手側コネクタ７０との接続信頼性を更に確実に向上できる。
【００６１】
図１５を図１３と併せて参照すると、変形例による付加部材４０Ａは、付加部材４０の主部４２と異なる主部４２Ａを有している。主部４２Ａは、基部５０及び被固定部５２と夫々異なる基部５０Ａ及び被固定部５２Ａを有していることを除き、主部４２と同じ構造を有している。基部５０Ａは、下端近傍でＹ方向外側に曲げられている。被固定部５２Ａは、基部５０ＡのＹ方向外側の端部である境界部５０２からＹ方向外側に延びている。
【００６２】
本変形例においても、バネ部５６が基部５０Ａから延びる起点部５６２は、アーマー部５４の最内側部５４２に比べて、被固定部５２Ａに近い。詳しくは、Ｙ方向において、起点部５６２と被固定部５２Ａ（境界部５０２）との間の距離Ｄ０は、起点部５６２と最内側部５４２との間の距離Ｄ１に比べて小さい。また、起点部５６２、最内側部５４２及び被固定部５２ＡをＸ方向に沿って見た場合、起点部５６２と被固定部５２Ａとの間の沿面距離（経路Ｐ１に沿った距離）は、起点部５６２と最内側部５４２との間の沿面距離に比べて小さい。図３を参照すると、本変形によっても、突出部５８におけるコネクタ１０と相手側コネクタ７０との接続信頼性を向上できる。
【符号の説明】
【００６３】
１０            コネクタ
２０            ハウジング
２０Ｕ          上面
２０Ｌ          下面
２２            受容部
２４            外壁
２４２          側壁
２４４          連結壁
２４８          保持部
２６            底壁
２８            突出部
３０            端子
３２            接触部
３４            被保持部
３８            被固定部
４０，４０Ａ    付加部材
４２，４２Ａ    主部
４４            連結部
４６，４８      挟持部
５０，５０Ａ    基部
５０２          境界部
５０４          平板部
５０６          湾曲部
５０８          上板部
５２，５２Ａ    被固定部
５４            アーマー部
５４２          最内側部
５６            バネ部
５６２          境界部（起点部）
５６４          第１バネ部
５６６          第２バネ部
５６８          第３バネ部
５８            突出部
７０            相手側コネクタ
７２            相手側接触部
８０            対象物（回路基板）
【図１】
2018078072.tif 000003
【図２】
2018078072.tif 000004
【図３】
2018078072.tif 000005
【図４】
2018078072.tif 000006
【図５】
2018078072.tif 000007
【図６】
2018078072.tif 000008
【図７】
2018078072.tif 000009
【図８】
2018078072.tif 000010
【図９】
2018078072.tif 000011
【図１０】
2018078072.tif 000012
【図１１】
2018078072.tif 000013
【図１２】
2018078072.tif 000014
【図１３】
2018078072.tif 000015
【図１４】
2018078072.tif 000016
【図１５】
2018078072.tif 000017
【図１６】
2018078072.tif 000018